(57)【要約】  第１の末端とその反対側の第２の末端とを有する導電性外側シェルを有する同軸ジャックを含む同軸接続アセンブリ。この第１の末端は、外側シェルの軸方向の穴の中に取り付けられている絶縁体とこの絶縁体内に取り付けられている中心導体とを含む前部同軸ジャックを画定する。第２の末端は、外側シェルの軸方向の穴の中に取り付けられている絶縁体とこの絶縁体内に取り付けられている中心導体とを含む後部同軸ジャックを画定する。前部ジャックの中心導体と後部ジャックの中心導体とが互いに電気的に接続されている。ジャックアセンブリがハウジングの長手方向穴の中に配置されている。このジャックアセンブリの第１の末端はそのハウジングの第１の末端の中を通って延び、および、ジャックアセンブリの第２の末端はそのハウジングの第２の末端の中を通って延びる。ジャックアセンブリは、第１の端部の中を通してだけ、ハウジングの中に挿入されまたはハウジングから取り除かれてよい。その穴の中でのジャックアセンブリの回転が防止される。ハウジングは、このハウジングの第１の末端に隣接している、長手方向穴から遠ざかる形で延びる取付フランジを含み、および、この取付フランジはファスナを受け入れるための穴を含む。
2007511050.tif 000002
【特許請求の範囲】
【請求項１】
同軸接続アセンブリであって、
第１の末端とその反対側の第２の末端とを有する導電性外側シェルを有する同軸ジャックアセンブリであって、前記第１の末端は、絶縁体と中心導体とを含む第１の同軸ジャックを画定し、前記第２の末端は、絶縁体と中心導体とを含む第２の同軸ジャックを画定し、前記第１のジャックの前記中心導体と前記第２のジャックの前記中心導体は互いに電気的に接続されている同軸ジャックアセンブリと、
長手方向穴を含む非導電性のハウジングであって、前記ジャックアセンブリは前記長手方向穴の中に滑動自在に受け入れられ、前記ジャックアセンブリの前記第１の末端はこのハウジングの第１の末端に隣接しており、および、前記ジャックアセンブリの前記第２の末端はこのハウジングの第２の末端に隣接しているハウジング
とを備え、
前記ハウジングの前記長手方向穴と前記ジャックアセンブリの各々は長手方向のガイドを含み、および、前記ガイドは、前記穴の中での前記ジャックアセンブリの回転を防止するために協働し、
前記ハウジングの前記長手方向穴は、前記穴の中で前記ジャックアセンブリが滑動することを長手方向に制限するための止め具を含み、
前記ハウジングは、前記ハウジングの前記第１の末端に隣接した、前記長手方向穴から遠ざかる方向に延びる取付フランジを含み、前記取付フランジはファスナを受け入れるための穴を含む
同軸接続アセンブリ。
【請求項２】
前記ジャックアセンブリの前記長手方向のガイドはスロットを含み、前記穴の前記長手方向のガイドはキーを含み、前記穴の前記キーは、前記穴内での前記ジャックアセンブリの回転を防止するために前記ジャックアセンブリの前記スロットに係合する請求項１に記載の同軸接続アセンブリ。
【請求項３】
前記連結長手方向ガイドは前記止め具を画定する請求項１に記載の同軸接続アセンブリ。
【請求項４】
前記ハウジングは前記取付フランジとは反対側に位置した外側表面を含み、前記表面は長手方向に延びる隆起部と長手方向に延びる溝とを含み、前記隆起部と前記溝は、２つのハウジングを一体的に保持するために、同一の形状に構成されているハウジングの溝と隆起部との中にそれぞれに滑動自在に受け入れられる請求項１に記載の同軸接続アセンブリ。
【請求項５】
前記隆起部はダブテール形状を有し、および、前記溝は前記隆起部を滑動自在に受け入れるための嵌合形状を有する請求項３に記載の同軸接続アセンブリ。
【請求項６】
ジャック対であって、
第１および第２のジャックアセンブリであって、このジャックアセンブリの各々は第１の同軸コネクタ末端と第２の同軸コネクタ末端とを含み、前記コネクタ末端の各々は同軸コネクタを受け入れてこれと電気的に嵌合するようになっている第１および第２のジャックアセンブリと、
第１および第２のハウジングであって、このハウジングの各々は、前記第１の同軸コネクタがこのハウジングの第１の末端に隣接しておりかつ前記第２の同軸コネクタ末端がこのハウジングの第２の末端に隣接している形で前記ジャックアセンブリの１つをその長手方向穴の中に配置するように構成されている長手方向穴を画定し、および、互いに同一の形状に構成されている第１および第２のハウジング
とを備え、
各々の前記ハウジングの前記穴は前記第１の末端の中を通して前記ジャックアセンブリの１つを滑動自在に受け入れ、
各々の前記ハウジングの前記穴と前記穴の中の前記ジャックアセンブリは、各々に、長手方向のガイドを含み、および、前記ガイドは前記ジャックアセンブリの回転を防止するように協働し、
各々の前記ハウジングの前記穴は、前記ハウジングの前記第１の末端の中を通る前記穴の内の前記ジャックアセンブリの滑動を長手方向に制限するために、かつ、前記ハウジングの前記第２の末端の中を通る前記ジャックアセンブリの離脱を防止するために、止め具を含み、
各々の前記ハウジングは、長手方向の隆起部と長手方向の溝とを含む外側表面を含み、および、前記第１のハウジングの外側表面と前記第２のハウジングの外側表面とを着脱自在に一体的に保持するために、前記第１のハウジングの前記隆起部と前記溝はそれぞれに前記第２のハウジングの前記溝と前記隆起部との中に滑動自在に受け入れられ、
各々の前記ハウジングは、各々の前記ハウジングの前記第１の末端に隣接している、前記外側表面とは反対側に位置した取付フランジを含み、前記取付フランジはファスナを受け入れるための穴を含む
ジャック対。
【請求項７】
前記穴の中での前記ジャックアセンブリの回転を防止するための前記相互連結する長手方向ガイドは、前記ジャックアセンブリの長手方向に延びるキースロットに係合する前記穴の中の長手方向に延びるキーを含む請求項６に記載のジャック対。
【請求項８】
前記ハウジングは前記穴内に１対のキーを含み、および、前記ジャックアセンブリは、前記キーに係合するための１対のキースロットを含む請求項７に記載のジャック対。
【請求項９】
挿入の度合いを制限しかつ前記ジャックアセンブリの前記第２の末端の中を通した離脱を防止するための前記止め具は、前記キーの末端に係合する前記キースロット内の閉じた末端を含む請求項７に記載のジャック対。
【請求項１０】
前記隆起部はダブテール形状を有し、および、前記溝は前記隆起部の前記ダブテール形状を滑動自在に受け入れるための嵌合形状を有する請求項６に記載のジャック対。
【請求項１１】
各ジャックアセンブリの前記第２のコネクタ末端は、前記コネクタから横断方向に延びる１対の互いに反対側に位置した差込みピンを含むＢＮＣコネクタであり、および、前記穴は、前記差込みピンを受け入れるための、かつ、前記ジャックアセンブリの前記キースロットを前記穴の前記キーに合わせて方向配置するための、１対の差込みピンスロットを含む請求項７に記載のジャック対。
【請求項１２】
同軸接続アセンブリであって、
第１の末端とこれとは反対側に位置した第２の末端とを有する導電性外側シェルを含む同軸ジャックアセンブリであって、前記第１の末端は、絶縁体と中心導体とを含む第１の同軸ジャックを画定し、前記第２の末端は、絶縁体と中心導体とを含む第２の同軸ジャックを画定し、および、前記第１のジャックの中心導体と第２のジャックの前記中心導体とは互いに電気的に接続されている同軸ジャックアセンブリと、
長手方向穴を含む非導電性のハウジングであって、前記ジャックアセンブリは、前記ジャックアセンブリの前記第１の末端がこのハウジングの第１の末端に隣接しておりかつ前記ジャックアセンブリの前記第２の末端がこのハウジングの第２の末端に隣接している形で、前記長手方向穴の中に滑動自在に受け入れられる非導電性のハウジングと、
前記ハウジングの前記穴の内での前記ジャックアセンブリの回転を防止する手段と、
前記ハウジングの前記穴の内に前記ジャックアセンブリを保持する手段であって、この保持手段は、前記ハウジングの前記第１の末端の中を通して前記ジャックアセンブリを挿入することを可能にし、かつ、前記ハウジングの前記第２の末端の中を通した前記ジャックアセンブリの離脱を防止する保持手段
とを備え、
前記ハウジングは、前記ハウジングの前記第１の末端に隣接した、前記長手方向穴から遠ざかる方向に延びる取付フランジを含み、および、前記取付フランジはファスナを受け入れるための穴を含む
同軸接続アセンブリ。
【請求項１３】
キャプティブファスナが前記取付フランジ内の穴の中に配置されている請求項１２に記載の同軸接続アセンブリ。
【請求項１４】
前記ファスナはねじを含む請求項１３に記載の同軸接続アセンブリ。
【請求項１５】
前記長手方向穴の中での前記ジャックアセンブリの回転を防止する前記手段は、前記穴の中の第１の長手方向のガイドと、前記ジャックの前記外側シェル内の嵌合する第１のガイドスロットとを含む請求項１２に記載の同軸接続アセンブリ。
【請求項１６】
前記ジャックアセンブリの前記第２の末端は、前記長手方向穴の幅よりも大きい幅に前記外側シェルから外方に延びる１対の互いに反対側に位置した差込みピンを含み、および、前記ハウジングの前記長手方向穴は、前記長手方向穴の中を前記ジャックアセンブリの前記第２の末端が通過することを可能にするための１対のスロットを含み、および、前記長手方向穴の中の前記第１の長手方向のガイドは、前記長手方向穴の中の前記１対のスロットの間に概ね等距離に配置されている請求項１５に記載の同軸接続アセンブリ。
【請求項１７】
前記ジャックアセンブリの回転を防止するための前記手段は、前記穴の中に前記第１のガイドの反対側に位置している第２のガイドを含み、および、前記ジャックアセンブリの前記外側シェルは、前記第１のガイドスロットの反対側に位置している嵌合する第２のガイドスロットを含む請求項１５に記載の同軸接続アセンブリ。
【請求項１８】
前記長手方向穴の中の前記保持手段は、前記ジャックの前記外側シェル内の嵌合スロットの閉じた末端に係合する前記穴の中の止め具を含み、および、前記長手方向穴の中の前記止め具は、前記１対のスロットの間に概ね等距離に配置されている請求項１２に記載の同軸接続アセンブリ。
【請求項１９】
前記ジャックアセンブリは、外側シェルを有する前記前部同軸ジャックの前記中心導体を選択的に電気的に終端させる手段を含む請求項１２に記載の同軸接続アセンブリ。
【請求項２０】
前記前部同軸ジャックの前記中心導体は、通常の状態では、前記外側シェルに対して電気的に終端されており、および、前記電気的終端は、前記前部同軸ジャック内の同軸プラグの挿入によって中断される請求項１９に記載の同軸接続アセンブリ。
【請求項２１】
前記前部同軸ジャックの前記中心導体を前記外側シェルと選択的に電気的に接続する前記手段は前記外側シェルを越えて延び、および、前記ハウジングの前記長手方向穴は、前記手段を受け入れるために前記ハウジングの前記第１の末端の付近で拡張されている請求項２０に記載の同軸接続アセンブリ。
【請求項２２】
前記前部同軸ジャックの前記中心導体を前記外側シェルと選択的に電気的に接続する前記手段は、前記前部同軸ジャックの中にプラグが挿入されていない時に前記中心導体に電気的に接触している可とう性の導電性部材と、前記外側シェルに前記部材を電気的に接続する抵抗とを含む請求項２１に記載の同軸接続アセンブリ。
【請求項２３】
前記ハウジングは、前記取付フランジとは反対側に位置している表面から延びる、長手方向の隆起部と、前記隆起部を受けるための大きさにされている平行な長手方向の溝とを含み、および、前記隆起部は、前記第１の末端と前記表面とがそれぞれに第２の同一のハウジングの第１の末端と表面とに隣接している形で前記ハウジングが位置している時に、前記第２の同一のハウジングの溝の中に受け入れられるように形成されており、したがって前記ハウジングの前記取付フランジは前記第２の同一のハウジングの前記取付フランジの反対側に延びる請求項１２に記載の同軸接続アセンブリ。
【請求項２４】
前記ハウジングの前記隆起部と前記第２の同一のハウジングの前記隆起部はダブテール形状を有し、および、前記ハウジングの前記溝と前記第２の同一のハウジングの前記溝は、前記隆起部を滑動自在に受け入れるための協働形状を有する請求項２３に記載の同軸接続アセンブリ。
【請求項２５】
ジャック対であって、
第１および第２のジャックアセンブリであって、このジャックアセンブリの各々は第１の同軸コネクタ末端と第２の同軸コネクタ末端とを含み、前記コネクタ末端の各々は同軸コネクタを受け入れて前記同軸コネクタと電気的に嵌合するようになっている第１および第２のジャックアセンブリと、
第１および第２のハウジングであって、このハウジングの各々は、前記第１の同軸コネクタが前記ハウジングの第１の末端に隣接しておりかつ前記第２の同軸コネクタ末端が前記ハウジングの第２の末端に隣接している形で、前記ジャックアセンブリの１つをその長手方向穴の中に配置するように構成されている長手方向穴を画定し、および、このハウジングは互いに同一に形状構成されており、および、この各ハウジングの前記穴は前記第１の末端の中を通して前記ジャックアセンブリの１つを滑動自在に受け入れる第１および第２のハウジングと、
各々の前記ハウジングの前記穴内での前記ジャックアセンブリの回転を防止する手段と、
前記ハウジングの各々の前記穴の中で前記ジャックアセンブリを保持する手段であって、前記穴の中への前記ハウジングの前記第１の末端の中を通した前記ジャックアセンブリの挿入を可能にし、かつ、前記ハウジングの前記第２の末端の中を通した前記穴からの前記ジャックアセンブリの離脱を防止するための手段
とを備え、
前記ハウジングの各々は、長手方向の隆起部と長手方向の溝とを含む外側表面を含み、および、前記第１のハウジングの外側表面と前記第２のハウジングの外側表面とを着脱自在に一体的に保持するために、前記第１のハウジングの前記隆起部と前記溝とがそれぞれに前記第２のハウジングの前記溝と前記隆起部との中に滑動自在に受け入れられ、および、
前記ハウジングの各々は、各々の前記ハウジングの前記第１の末端に隣接している、前記外側表面とは反対側に位置した取付フランジを含み、前記取付フランジはファスナを受け入れるための穴を含む
ジャック対。
【請求項２６】
前記穴内での前記ジャックアセンブリの回転を防止する前記手段は、前記穴の中の長手方向に延びるキーと、前記ジャックアセンブリの長手方向に延びるキースロットとを含む請求項２５に記載のジャック対。
【請求項２７】
前記ハウジングは、前記穴内に１対のキーを含み、および、前記ジャックアセンブリは前記キーに係合するための１対のキースロットを含む請求項２６に記載のジャック対。
【請求項２８】
前記挿入の度合いを制限しかつ前記ジャックアセンブリの前記第２の末端の中を通した離脱を防止するための前記手段は、前記キーの末端に係合する前記キースロット内の止め具を含む請求項２６に記載のジャック対。
【請求項２９】
前記隆起部はダブテール形状を有し、および、前記溝は前記隆起部の前記ダブテール形状を滑動自在に受け入れるための嵌合形状を有する請求項２５に記載のジャック対。
【請求項３０】
各ジャックアセンブリの前記第２のコネクタの末端は、前記コネクタから横断方向に延びる１対の互いに反対側に位置した差込みピンを含むＢＮＣコネクタであり、および、前記穴は、前記差込みピンを受け入れるための、かつ、前記ジャックアセンブリの前記キースロットを前記穴の前記キーに合わせて方向配置するための、１対の差込みピンスロットを含む請求項２５に記載のジャック対。
【請求項３１】
ジャック対をアセンブリする方法であって、
第１の同軸コネクタ末端と第２の同軸コネクタ末端とジャックアセンブリの外側シェル内の第１のガイドとを各々が含む第１および第２の同軸ジャックアセンブリを提供することと、第１の末端と第２の末端とを有する長手方向穴を各々が含み、各ハウジングの前記穴が嵌合ガイドを含み、さらに、各ハウジングが隆起部と溝とを含む第１の表面も含み、かつ、互いに同一の形状に構成されている第１および第２のハウジングを提供することと、
前記第１のハウジングの前記第１の末端の中を通して前記第１のハウジングの前記穴の中に前記第１のジャックアセンブリの前記第２の同軸コネクタ末端を挿入することと、
前記第１のハウジングの前記穴の中の前記嵌合ガイドを前記第１のジャックアセンブリの前記第１のガイドと係合させることと、
前記第１のコネクタ末端が前記第１のハウジングの前記第１の末端に隣接しておりかつ前記第２のコネクタ末端が前記第１のハウジングの前記第２の末端に隣接している形で、前記穴の中に前記第１のジャックアセンブリを配置することと、
前記第２のハウジングの前記第１の末端の中を通して前記第２のハウジングの前記穴の中に前記第２のジャックアセンブリの前記第２の同軸コネクタ末端を挿入することと、
前記第２のハウジングの前記穴の中の前記嵌合ガイドを前記第２のジャックアセンブリの前記第１のガイドと係合させることと、
前記第１のコネクタ末端が前記第２のハウジングの前記第１の末端に隣接しておりかつ前記第２のコネクタ末端が前記第２のハウジングの前記第２の末端に隣接している形で、前記穴の中に前記第２のジャックアセンブリを配置することと、
各々の前記ハウジングの前記第１の表面に沿って前記第２のハウジングに前記第１のハウジングを滑動自在に取り付けることであって、前記第１のハウジングの前記隆起部と前記溝とが、前記ハウジングを一体的に保持するために、それぞれに前記第２のハウジングの前記溝と前記隆起部と共に協働すること
とを含む方法。
【請求項３２】
各ジャックアセンブリの前記第２の同軸コネクタ末端は、前記コネクタから横断方向に延びる１対の互いに反対側に位置した差込みピンを含むＢＮＣコネクタであり、および、前記穴は、前記差込みピンを受け入れるための１対の差込みピンスロットを含み、さらには、前記差込みピンスロットの中に前記第２の同軸コネクタ末端の前記差込みピンを位置させることと、前記ジャックアセンブリの前記ガイドスロットを前記穴の前記ガイドに合わせて方向配置することとを含む請求項３１に記載の方法。
【請求項３３】
各々の前記ハウジングは、ファスナを保持する穴を有する、前記第１の表面とは反対側に延びる取付フランジを含み、および、
さらに、前記ジャックアセンブリの前記第１のコネクタがパネル内の穴の中を通って延びる形で、前記パネルに隣接して前記第１または第２のハウジングの１つを配置することと、
前記取付フランジによって保持されている前記ファスナに前記パネルのファスナ穴を係合させることによって前記パネルに前記ハウジングを締め付け固定すること
とを含む請求項３１に記載の方法。
【請求項３４】
前記取付フランジによって保持された前記ファスナはキャプティブファスナである請求項３３に記載の方法。
【請求項３５】
前記第１のジャックアセンブリの挿入の度合いを制限するために前記第１のハウジングの前記穴の中の止め具と係合することをさらに含む請求項３１に記載の方法。
【請求項３６】
前記第１の穴の内の前記止め具は、前記第１のジャックアセンブリの前記第１のガイドの閉じた末端によって係合される請求項３５に記載の方法。
【請求項３７】
ジャック対であって、
第１および第２のジャックアセンブリであって、このジャックアセンブリの各々は第１の同軸コネクタ末端と第２の同軸コネクタ末端とを含み、前記コネクタ末端の各々は同軸コネクタを受け入れてこれと電気的に嵌合するようになっている第１および第２のジャックアセンブリと、
１対の長手方向穴を画定するハウジングであって、前記長手方向穴の各々は、前記第１の同軸コネクタがこのハウジングの第１の末端に隣接しておりかつ前記第２の同軸コネクタ末端がこのハウジングの第２の末端に隣接している形で、このハウジング内に前記ジャックアセンブリの１つを配置するように構成されており、および、互いに同一の形状に構成されているハウジング
とを備え、
前記ハウジングの前記穴は前記第１の末端の中を通して前記ジャックアセンブリの１つを滑動自在に受け入れ、
前記ハウジングの前記穴の各々は第１の長手方向のガイドを含み、および、前記ジャックアセンブリは第２の長手方向のガイドを含み、前記ガイドは前記ジャックアセンブリの回転を防止するように協働し、
前記ハウジングの前記穴の各々は、前記ハウジングの前記第１の末端の中を通る前記穴の内の前記ジャックアセンブリの滑動を長手方向に制限するために、かつ、前記ハウジングの前記第２の末端の中を通した前記ジャックアセンブリの離脱を防止するために、止め具を含み、
前記ハウジングは、前記ハウジングの各々の前記第１の末端に隣接している１対の互いに反対側に位置した取付フランジを含み、前記取付フランジはファスナを受け入れるための穴を含む
ジャック対。
【請求項３８】
同軸ジャックのためのハウジングであって、
第１の末端から第２の末端に延びる本体と、
前記本体の前記第１の末端から前記本体の前記第２の末端に延びる長手方向穴であって、前記第１の末端の中を通して前記同軸ジャックを受け入れる大きさにされている長手方向穴
とを備え、
前記穴は、前記穴の中での前記同軸ジャックの回転を防止するための長手方向に延びるガイドを含み、
前記穴は、前記穴内の前記同軸ジャックの滑動を制限するための止め具を含み、
前記本体は、前記本体の外側表面から延びかつ前記長手方向穴に対して概ね垂直方向に延びるフランジを含み、前記フランジは、ファスナを受け入れる穴を含み、
前記本体は前記フランジとは反対側に位置した外側表面を含み、平行な隆起部と溝とが前記第１の末端の付近から前記第２の末端の付近に長手方向に延び、前記隆起部と前記溝は、前記本体と第２のハウジングの本体とを一体的に保持するために、同一の形状に形成されている前記第２のハウジングの本体の溝と隆起部との中に滑動自在に受け入れられるように構成されており、前記第１の末端は互いに隣接しており、前記フランジは互いに概ね反対側に延びる
ハウジング。
【請求項３９】
前記フランジは前記第１の末端に隣接した前記本体から延びる請求項３８に記載のハウジング。
【請求項４０】
前記穴の前記長手方向に延びるガイドは前記穴の中に延びるキーである請求項３８に記載のハウジング。
【発明の詳細な説明】
【技術分野】
【０００１】
本発明は、通信回路の接続を容易にするための取付コネクタジャックに一般的に関する。
【背景技術】
【０００２】
スタジオまたは製作施設内の放送通信機器設備のような放送通信機器設備においては、様々な下流側の処理機器と記録機器と放送機器とに様々な信号源を相互接続するためのパッチパネルを備えることが一般的である。こうしたパッチパネルは、各々の機器に対する入力回路および出力回路を提供するために、１対をなす組合せの形でジャックを搭載することができる。さらに、この１対の構成は、ジャック対に隣接して取り付けられているモニター回路に接続される単一のジャックを含んでもよい。その設備の大きさと複雑さとに応じて、こうしたパッチパネルは一対をなすジャックの組を有してもよいし、または、密多構成の形の多数の対をなすジャックの組を有してもよい。他の設備が、ジャックの対を使用するパッチング（ｐａｔｃｈｉｎｇ）が不要である時に、または、パッチングジャック対から離れた場所のモニター回路に接続するために、単一のジャックを含んでもよい。
【０００３】
対をなすジャックの幾つかがスイッチングジャック対の形に組み合わされてもよく、一方、他の対が、互いに隣接して取り付けられている２つのストレートスルージャック（ｓｔｒａｉｇｈｔ  ｔｈｒｏｕｇｈ  ｊａｃｋ）であってもよい。スイッチングジャックの形のジャック対は、このジャック対の両ジャックとこれらのジャックの間のスイッチング回路系とを収容するための堅固なハウジングをその周囲に有してもよい。米国特許第５，８８５，０９６号がスイッチングジャックの一例を示している。この堅固なハウジングは、さらに、ジャック自体に対する支持を提供し、かつ、ジャックの曲がりを防止するのに役立つ。対の形で互いに隣接して取り付けられている個別のストレートスルージャックは、こうしたハウジングを共有しない。そのジャックに取り付けられているケーブルからの引張り力がジャックの曲がりの原因となることがある。場合によっては、ジャックが互いに接触し合うほどに、または、隣接して取り付けられている他のジャックに接触するほどに、ジャックが曲がることがある。
【発明の開示】
【発明が解決しようとする課題】
【０００４】
ジャックを改良することが望ましい。
【課題を解決するための手段】
【０００５】
本発明は、一般的に、通信回路を電気的に接続するようにプラグを受け入れるためのジャックに関する。モジュール方式のハウジングが、このハウジング内に取り付けられているジャックアセンブリに対する支持を提供する。
【０００６】
さらに明確に述べると、本発明は、第１の末端とその反対側の第２の末端とを有する導電性外側シェルを有する同軸ジャックを含む同軸接続アセンブリに関する。この第１の末端は、外側シェルの軸方向穴の中に取り付けられている絶縁体とこの絶縁体内に取り付けられている中心導体とを含む前部同軸ジャックを画定する。第２の末端は、外側シェルの軸方向穴の中に取り付けられている絶縁体とこの絶縁体内に取り付けられている中心導体とを含む後部同軸ジャックを画定する。前部ジャックの中心導体と後部ジャックの中心導体は互いに電気的に接続されている。このジャックアセンブリは、ハウジングの長手方向穴の中に配置されている。ジャックアセンブリの第１の末端はハウジングの第１の末端の中を通って延び、および、ジャックアセンブリの第２の末端はハウジングの第２の末端の中を通って延びる。ハウジングの長手方向穴は、ジャックアセンブリがその穴の中で回転することを防止するようにそのジャックの外側シェルと共に協働するキーを含む。この長手方向穴は、さらに、その穴の中にジャックアセンブリを配置する止め具も含む。ハウジングは、そのハウジングの第１の末端に隣接した、長手方向穴から遠ざかる方向に延びる取付フランジを含み、この取付フランジはファスナを受け入れるための穴を含む。
【０００７】
本発明は、さらに、第１および第２のジャックアセンブリを備え、各々のジャックアセンブリが第１の同軸コネクタ末端と第２の同軸コネクタ末端とを含み、および、これらのコネクタ末端の各々が同軸コネクタを受け入れかつその同軸コネクタと電気的に嵌合するするようになっているジャック対に関する。第１および第２のハウジングの各々は、長手方向穴の中にジャックアセンブリの１つを配置するように構成されている長手方向穴を画定する。これらのハウジングは互いに同一の形状に構成されている。各ハウジングの穴は、第１の末端の中を通してジャックアセンブリの１つを滑動自在に受け入れる。各ハウジングの穴は、その穴の中のジャックアセンブリと共に協働して、ジャックアセンブリの回転を防止する。各ハウジングの穴は、さらに、そのハウジングの第１の末端の中を通したジャックアセンブリの挿入の度合いを制限し、および、そのハウジングの第２の末端の中を通したジャックアセンブリの離脱が防止される。各々のハウジングは、さらに、長手方向の隆起部と長手方向の溝とを有する外側表面を含む。第１のハウジングの隆起部と溝は、第２のハウジングの溝と隆起部との中に滑動自在に受け入れられる。各ハウジングは、さらに、各ハウジングの第１の末端に隣接した、外側表面とは反対側に位置しているファスナを受け入れるための穴を有する取付フランジを含む。
【０００８】
本発明は、さらに、ジャック対をアセンブリする方法にも関する。この方法は、第１および第２の同軸ジャックアセンブリと、第１および第２のハウジングとを提供することを含む。各ハウジングは、第１の端部と第２の端部とを有する長手方向穴を含む。各ハウジングは、さらに、隆起部と溝とを含む第１の表面を含み、および、ハウジングは互いに同一の形状に構成されている。第１のジャックアセンブリは、第１のハウジングの穴の中に滑動自在に挿入され、および、ジャックアセンブリのガイドスロットがその穴の中のガイドに係合する。第１のジャックアセンブリは、第１のコネクタ末端がハウジングの第１の末端から延びかつ第２のコネクタ末端が第１のハウジングの第２の末端から延びる形で、第１のハウジング内に配置される。第２のジャックアセンブリは、第２のハウジングの穴の中に同様に配置される。第１のハウジングは第１の表面に沿って第２のハウジングに取り付けられ、および、各ハウジングの隆起部は他方のハウジングの溝の中に滑動自在に受け入れられる。
【０００９】
本明細書に組み入れられておりかつ説明の一部分を構成する添付図面が、本発明の幾つかの側面を示し、および、説明と共に、本発明の原理を説明する役割をする。図面の簡単な説明が次の通りである。
【発明を実施するための最良の形態】
【００１０】
以下では、添付図面に示されている本発明の例示的な諸側面について詳細に言及する。可能な限り、同一の照会番号が、同一または類似の部品を示すためにすべての図面において使用される。
【００１１】
図１のパネル１０のようなパッチパネルが、放送通信製作施設に設備されるだろう。パッチパネル１０は、取付フレーム１７と、複数対の穴２０を有するパネル前面（ｐａｎｅｌ  ｆｒｏｎｔ）１８とを含む、シャーシ１６を含む。図示されているように、パネル前面１８は、様々な形状構成の穴２０がパネル１０内に含まれることを可能にするためにフレーム１７から取り外されることが可能である。図示されているように、フレーム１７は、シャーシ１６に対する構造的な支持を実現するためにアルミニウムまたは鋼のような丈夫な材料で作られている。他の丈夫なまたは硬質の金属材料または複合材料のような他の類似の構造材料が、フレーム１７のために使用されてよい。パネル前面１８は、様々な装置をシャーシ１６に取り付けるためのパネル前面１８のより複雑な特徴の形成を容易にするために、プラスチックまたは他の類似の非導電性材料から成形または形成されている。１対の互いに反対側に位置したフランジ２２が、放送施設における通信機器ラックまたは他の取付構造にパネル１０を取り付けることを容易にするために、フレーム１７の両側に配置されている。フランジ２２は、ラックまたは取付構造にパネル１０を固定するためにファスナを受け入れる穴２４を含む。
【００１２】
通信回路を接続するためのジャック対２６、２８、１２８、２２８が、パネル前面１８の背面に取り付けられている。これらのジャック対の各々は、パネル前面１８内の穴２０の１つの中を通してアクセス可能である前方の１組のコネクタと、パネル１０の背面からアクセス可能な後方の１組のコネクタとを含む。
【００１３】
ジャック対は、図示されているように、従来技術のスイッチングジャック対２６とストレートスルージャック対２８、１２８、２２８とを含む。これらのジャック対のすべては、パネル１０の背後に延びる通信ケーブルに接続するための１対の後部コネクタ３０と、パネル１０の前方に延びる通信ケーブルに接続するための１対の前部コネクタ３２とを含む。スイッチングジャック対２６は、前部コネクタ３２内に挿入されたプラグなしに、電気経路が１対の後部コネクタ３０の間に画定されるように、内部回路系を提供する。こうした回路系はストレートスルージャック対２８、１２８、２２８内には設けられていない。本明細書に引例として組み入れられている米国特許第５，８８５、０９６号が、スイッチングジャック対２６に類似したスイッチングジャック対を開示している。
【００１４】
ジャック対２８、１２８、２２８は、１対のハウジング４６と、長いジャックアセンブリまたはジャック４８、１４８と、短いジャックアセンブリまたはジャック５０、１５０とを含む。各ハウジング４６内には、ジャックアセンブリ４８、１４８の１つと、ジャックアセンブリ５０、１５０の１つとが取り付けられている。ジャック対２８、１２８、２２８と、ハウジング４６と、ジャック４８、１４８、５０、１５０については、さらに詳細に後述する。
【００１５】
次に図２と図３を参照すると、代替案の実施形態であるパッチパネル１１０が示されている。このパネル１１０は構造上はパネル１０と同じであるが、モニタージャック３４が取り付けられることが可能なパネル前面１１８内の第３の穴の列２０を含む。パネル前面１１８はフレーム１７内に取り付けられている。モニタージャック３４は、さらに、後部コネクタ３０と前部コネクタ３２とを含み、および、これらのコネクタ３０、３２は、隣接して取り付けられている対２６、２８の形式と同じ形式であってよい。パネル前面１１８の後面１１９上には、モニター列内の穴２０の各々に隣接して、かつ、対２６、２８を取り付けるための各対の穴２０に隣接して、１対のファスナ穴３６が配置されている。穴３６の各々は、ジャック対２６、２８、１２８、２２８、または、モニタージャック３４をパネル前面１１８に取り付けるために、これらの装置のファスナを受け入れる。類似の穴３６が、パネル１０のパネル前面１８の背面にも配置されている。パネル前面１１８は、パネル１０の穴２０、３６の構成が変更されることを可能にするために、フレーム１１７に着脱自在に取り付けられている。
【００１６】
１対の側面３８が、パネル前面１１８と取付フランジ２２とに隣接したフレーム１１７から後方に延びる。タイオフバー（ｔｉｅ−ｏｆｆ  ｂａｒ）４０が２つの側面３８の間を延び、および、ジャック対またはモニタージャックの各々の後部コネクタ３０に延びるタイオフケーブル（ｔｉｅ−ｏｆｆ  ｃａｂｌｅ）に好都合な位置を提供する。側面３８と後部タイオフバー４０の類似の構造がパネル１０に加えられてもよい。
【００１７】
図１から図３に示されているように、後部コネクタ３０は、標準的な同軸ＢＮＣコネクタを受け入れるための同軸ケーブルコネクタである。他のサイズおよびスタイルの同軸コネクタも同様に使用されてよい。前部コネクタ３２は、標準サイズまたは中型サイズのビデオプラグに接続するための同軸ケーブルコネクタである。ビデオプラグを受け入れるようになっている他のサイズおよびスタイルの同軸コネクタが同様に使用されてもよい。さらに、パネル１０、１１０が放送通信環境での使用に限定されておらず、同軸ケーブル接続が必要とされる他の遠距離通信設備における使用のために適合化されてよいということも想定されている。
【００１８】
図１から図３において理解できるように、後部コネクタ３０は、隣接したコネクタに対するアクセスを改善するために水平方向または垂直方向に食い違い配置されてもよい。この食い違い配置が、さらに、ジャック対２６、２８とモニタージャック３４がより高い密度でパネル１０またはパネル１１０に取り付けられることを可能にする。あるいは、この代わりに、後部コネクタ３０は、設備のアクセスと密度とが重要な問題ではない場合に、食い違い配置になっていないことも可能である。
【００１９】
次に図４と図５を参照すると、パネル１１０のパネル前部１８の背面１９に取り付けられているジャック対２６、２８とモニタージャック３４の集まりが示されている。モニタジャック３４はモニター列４２内の穴２０に取り付けられている。ジャック対２６、２８は、列４４内の各対の穴２０の中に取り付けられている。モニター３４は、ハウジング４６と、ハウジング４６内の穴の中に取り付けられている長いジャック４８または短いジャック５０とを含む。
【００２０】
図５Ａと図５Ｂが、取付穴３６の単一の隣接列を有する単一列の穴２０を有する第３のパネル２１０を示す。モニタージャック３４と同様の、単一のハウジング４６内に取り付けられているジャックアセンブリ５０を含む個々のジャック２３４が、パネル２１０に取り付けられてよい。パネル２１０は、図１のパネル１０に示されているパッチング回路のようなパッチング回路に匹敵するように、モニター回路の別の列を提供してもよい。あるいは、ジャックとハウジングとが、回路の数がより少なくかつより少数のジャックしか必要とされないパッチング接続すなわち回路接続を実現するように、パネルに取り付けられてもよい。フレーム２１７が、パネル２１０を取り付けるための穴２４を有する取付フランジ２２を含む。複数の単一ジャック２３４がパネル前面２１８に取り付けられており、これらの複数の単一ジャックはモニタージャック３４であってもよいが、個別のパッチングジャックであってもよい。
【００２１】
次に図６を参照すると、取付ブロック５２に取り付けられている３つのジャック対２８を含むモジュール５４が示されている。このモジュールは、より少ない数のパッチングジャックが特定の設備のために必要とされる時に使用されてよい。あるいは、モジュール５４は、上述したパネル１０、１１０の密度と同様の密度で複数のモジュール５４を受け入れて取り付けるようになっている前面を含むパッチパネルと共に使用されてよい。
【００２２】
図７と図８は、図６のモジュールを分解組立図の形で示す。さらに、各ジャック対２８のハウジング４６の間の相互接続も図８に示されている。ハウジング４６は、表面５６に沿って互いに嵌合する互いに同一のハウジングである。表面５６は隆起部５８と溝６０とを含む。ハウジング４６は、さらに、第１の末端６４に隣接して配置されている取付フランジ６２を含む。隆起部５８と溝６０は、表面５６と第１の末端６４とが互いに隣接する形で第１および第２のハウジング４６が配置される時に、第１のハウジング４６の隆起部および溝がそれぞれに第２のハウジング４６の溝および隆起部と共に協働するように、配置され構成されている。隆起部５８と溝６０とこれらの協働の状態とに関しては、さらに詳細に後述する。
【００２３】
ハウジング４６の取付フランジ６２内の穴の中には、ねじ６６のようなキャプティブファスナが配置されている。ねじ６６は、ハウジング４６、モニタージャック３４、または、ジャック対２８を着脱自在に取り付けるために、取付ブロック５２とパネル前面１８との穴３６に係合する。図に示されているように、ねじ６６は拘束ねじであり、および、穴３６から係合解除される時にハウジング４６に残る。直角掛けファスナ（ｑｕａｒｔｅｒ−ｔｕｒｎ  ｆａｓｔｅｎｅｒ）とこれに類似したファスナとのような他のキャプティブファスナがハウジング４６と共に使用されてよいということが想定されている。
【００２４】
図９から図１４はジャック対２８を示す。図１０を特に参照すると、ハウジング４６は、フランジ６２内に拘束ねじ６６を受け入れるための穴６８を含む。ねじ６６は、上述の図７と図８に示されているように、第１の末端６４の中を通って延びるねじ山を含む。ハウジング４６は、さらに、第１の末端６４から第２の末端７２に延びる長手方向穴７０を画定する。ジャック４８とジャック５０は第１の末端６４の中を通る穴７０の中に受け入れられ、その結果として後部コネクタ３０が第２の末端７２の中を通り抜けて延びる。接地ハウジング７４が、両方のジャック４８、５０の前部コネクタ７４に隣接している。接地ハウジング７４内には、ジャック４８またはジャック５０の中心導体８４（図１２を参照されたい）が、外側の導電性シェル８６（図１２を参照されたい）に対して電気的に接触しかつ接地することを可能にするための回路系が含まれている。この回路系が中心導体８４と外側シェル８６とを互いに接地させる場合を除いて、絶縁体８５が中心導体８４を外側シェル８６から絶縁する。穴７０が、ハウジング７４を受け入れるための、第１の末端６４に隣接した拡張部分７６を含む。この拡張部分７６は穴７０を通過して第２の末端７２に延びることがなく、中間隔壁７８で終了する。
【００２５】
ＢＮＣケーブルコネクタを後部コネクタ３０に着脱自在に固定するための１対の互いに反対側に位置した差込みピン８０が、ジャック４８、５０の後部コネクタに隣接している。各ジャック４８、５０は、さらに、１対の互いに反対側に位置したガイドスロットまたはキースロット８２も含む。各キースロット８２は、閉じた末端８８と開いた末端９０とを含む。キースロット８２は、閉じた末端８８が前部コネクタ３２の方に向かっておりかつ開いた末端９０が後部コネクタ３０の方に向かっている形で、ジャック４８、５０の主軸線に対して平行に配置されている。キースロット８２は接地ハウジング７４と後部コネクタ３０との間に配置されている。
【００２６】
図１４が、隆起部５８と溝６０との協働形状を示す。第１の末端６４または第２の末端７２から見た場合に、隆起部５８はダブテール形状を含む。溝６０は、隆起部５８のダブテール形状を受け入れるための嵌合形状を含む。これらの形状に関しては、図３３と図３４とに関連してさらに詳細に後述する。
【００２７】
次に図１５から図１８を参照すると、より短いジャック５０を含むジャック対２８の半分部分が示されている。ハウジング４６の穴７０の拡張部分７６が取付フランジ６２を越えて隔壁７８に向かって延びるので、開いた頂部９６が形成され、この開いた頂部９６の中を通して接地ハウジング７４を見ることが可能である。この開いた頂部は、ねじ６６に対するアクセスを妨げることなしにハウジング７４のための最大限の余地を可能にする。隔壁７８とハウジング４６の第２の末端７２との間には、ジャック５０のキースロット８２（さらには、ジャック４８のキースロット）に係合するために、１対の互いに反対側に位置したガイドまたはキー９２が穴７０の頂部と底部とに形成されている。キー９２とキースロット８２は協働してジャック５０（さらには、ジャック４８）をハウジング４６内に方向配置する。差込みピン８０とキースロット８２はジャック５０に関して互いにオフセットしており、および、キー９２がキースロット８２内に係合させられる時に、差込みピン８０は水平方向に方向配置される。
【００２８】
さらに、互いに反対側に位置した差込みピンスロット９４が穴７０内に存在する。穴７０は、差込みピン８０の幅の寸法よりも小さい寸法である。差込みピンスロット９４は、後部コネクタ３０が第１の末端６４の中を通して挿入されかつ穴７０の中を通って第２の末端７２を越えて延びることを可能にする。差込みピンスロット９４は、さらに、開いた末端９０の中を通ってキースロット８２がキー９２に係合するように適切に方向配置されるように、ジャック５０を方向配置する。ジャック５０が完全に挿入されかつハウジング４６内に適正に配置された時に、隔壁７８に隣接したキー９２がキースロット８２の閉じた末端８８と係合し、および、ジャック５０の更なる挿入を防止する。
【００２９】
図１５から図１８に示されているように、ジャック４８、５０の各々は接地ハウジング７４を含む。ジャック１４８とジャック１５０とを含むジャック対１２８の別の実施形態が図１９から図２１に示されており、このジャック１４８、１５０は接地ハウジング７４を含まない。他の点では、ジャック対１２８はジャック対２８と同じである。ジャック４８、５０、１４８、１５０の場合には、キースロット８２の閉じた末端８８に係合するキー９２が、ハウジング４６内の挿入の限界を画定する。ジャック１４８、１５０は穴７０の拡張部分７６を必要としないが、ハウジング４６は、ジャック４８、５０、１４８、１５０の様々なタイプとスタイルと、接地ハウジングまたは前部コネクタ３２に隣接した別の拡張部分を含んでも含まなくてもよい他の他タイプとスタイルとに適合可能であるように構成されている。
【００３０】
図２２から図２７が、中型のビデオ同軸プラグを受け入れるように構成されている前部コネクタ３２を有する、さらに別の実施形態であるジャック対２２８を示す。他の側面では、ジャック対２２８は、図１９から図２１のジャック対１２８、および、図９から図１４のジャック対２８と同じである。
【００３１】
図２８が、標準サイズのビデオプラグを受け入れるように構成されている前部コネクタ３２と、ＢＮＣプラグを受け入れるように構成されている後部コネクタ３０とを含む、従来技術のスイッチングジャック対２６を示す。１対の取付フランジ１６２がハウジング１４６の互いに反対側に位置した側面から延びる。上述した図１６から図１９に示されているねじ６６のようなキャプティブファスナを受け入れるための穴６８を含むフランジ１６２。穴６８は、穴６８内のファスナがパネル前面１８または取付ブロック５２の穴３６に係合するように配置されている。上述の図１から図５に示されているように、ジャック対２６、２８、１２８、１２８のすべては、パッチパネル１０または１１０の一部分としてパネル前面１８に取り付けられてよく、または、図６から図８に示されているように、モジュール５４の一部分として取付ブロック５２に取り付けられてよい。
【００３２】
図２９から図３４がハウジング４６をさらに詳細に示す。突起１００が穴７０内を隔壁７８から第１の末端６４に延び、および、穴７０から拡張部分７６への移行部分を画定する。突起１００は、さらに、キースロット８２がキー９２と係合するように後部コネクタ３０の差込みピン８０が適切な方向に穴７０内を延びることを可能にするために、差込みピンスロット９４と協働する。キー９２は第２の末端７２から隔壁７８に延び、および、隔壁７８における端壁９８を画定する。端壁９８はキースロット８２の閉じた末端８８と係合して止め具を形成する。この止め具は、ジャックアセンブリがハウジング４６内に挿入される最大の度合いを設定する。
【００３３】
図３３と図３４が溝６０と隆起部５８をそれぞれにさらに詳細に示す。隆起部５８は、ハウジング４６の表面５６からオフセット距離１１２に最大の幅１０２を画定する外側表面１１４を含む。隆起部５８は、表面５６に隣接した最大の幅１０４に表面５６に近づくにつれて狭まる。溝６０は、表面５６からのインセット距離（ｉｎｓｅｔ  ｄｉｓｔａｎｃｅ）に最大幅１０６を画定する内側表面１１８を含む。溝６０は、表面５６に隣接した最小幅１０８に表面５６に近づくにつれて狭まる。隆起部５８と溝６０は、表面１１８に隣接した表面１１４によって幅１０２が幅１０６内に収まり、かつ、幅１０４が幅１０８内に収まるような大きさにされている。１対の協働するハウジング４６の表面５６が互いに隣接している時に表面１１４が表面１１８に隣接しているように、距離１１２、１１６は互いに概ね等しい。隆起部５８と溝６０が、ジャック対２８、１２８、２２８に関して示されているように、２つの同一のハウジングを互いに連結する場合には、他の類似の協働形状が隆起部５８と溝６０とのために使用されてよい。この連結は、ハウジングが横方向に互いに引き離されることを防止しながらハウジングを長手方向に一体的に滑動させることによって実現される。
【００３４】
互いに協働する隆起部５８と溝６０とのダブテール形状の協働が幾つかの利点を提供する。第１に、これらの形状が２つのハウジング４６を一体的に連結して、ジャック４８、５０、１４８、１５０のようなジャック対の２つのジャックのためのハウジングを形成する。同じハウジング４６は、モニタージャック３４の形で示されている単一のジャックのような単一のジャックを保持するために使用されてもよい。このことが、製造されなければならずかつ在庫目録に維持されなければならない様々なハウジングの数を減少させる。第２に、このダブテール形状は、２つのハウジングの長手方向の滑動移動を可能にすると同時に２つのハウジングを互いに固着させる。２つのハウジング４６を連結するための追加のファスナが不要である。その次に、各ハウジング４６のねじ６６が、モジュール５４またはパネル１０、１１０の中にハウジング４６を取り付けるために使用されてよい。
【００３５】
ハウジング４６は、ジャック４８、５０、１４８、１５０のような管状ジャックの周りに電気絶縁性のスリーブを提供し、および、さらに、後部コネクタ３０に取り付けられているケーブルがジャックに斜めの力を及ぼす時にこのケーブルからの変形歪力を原因とする変形に抵抗するように、ジャックに対する機械的支持を提供する。パネル１１０は、ケーブルがジャックに対して及ぼす恐れがある変形歪力を減少させることを促進するためにタイオフバー４０を提供する。パネル１０はこのような特徴を持たず、したがって、後部コネクタ３０に取り付けられておりかつ後部コネクタ３０から直接的に下向きに垂れ下がるケーブルが、ジャックに対して斜めの力を及ぼすことがある。ケーブルは側部または頂部に向かっても引っ張られるだろう。図１から図５に示されているように、ハウジング４６は、第１の末端６４が背面１９に突き当たる形でファスナ６６によってパネル前面１８に取り付けられる。ジャック対２８またはモニタージャック３４に関しては、この構成が、ハウジング４６がこの横方向の力に抵抗するための追加の支持を提供することを可能にする。横方向の力の抵抗とハウジング４６の絶縁性スリーブとが、ジャック対のジャック４８、５０またはジャック１４８、１５０が互いに電気的に接触するのに十分なだけ曲げられて２つの外側絶縁性シェル８６の間の短絡を生じさせる可能性を低減させる。ハウジング４６は、さらに、ジャックを永久的に変形させるかまたは破損させるのに十分なほどジャックが曲げられることを防止するための支持を提供する。
【００３６】
次に図３５から図３７を参照すると、ジャックアセンブリ４８がより詳細に示されている。第１の外側ハウジング１３４は、前部コネク３２の導電性外側シェル８６とスロット８２とを含む。中心導体８４が中に取り付けられている絶縁体８５が第１のハウジング１３４内に取り付けられている。絶縁体８５は中心導体８４を支持しかつシェル８６から中心導体８４を絶縁する。図示されているように、絶縁体８５は２つの互いに同一の半分部分から作られているか、または、シングルピースの絶縁体として作られていてよい。第２の外側ハウジング１３２が、後部コネクタ３０の導電性外側シェル１８６を含む。第２の外側ハウジング１３２は、第１の外側ハウジング１３４内の挿入と保持とを補助するために刻み付きの末端１３３を含む。中心導体１８４が中に取り付けられている絶縁体１８５が第２のハウジング１３２内に取り付けられている。絶縁体１８５は中心導体１８４を支持し、かつ、シェル１８６から中心導体１８４を絶縁する。図示されているように、絶縁体１８５は２つの互いに同一の半分部分から作られているか、または、シングルピースの絶縁体として作られていてよい。導電性シャフト１３０が中心導体８４と中心導体１８４とを接続する。
【００３７】
次に図３８から図４０を参照すると、ジャックアセンブリ５０がより詳細に示されている。第１の外側ハウジング１３４は、前部コネク３２の導電性外側シェル８６とスロット８２とを含む。中心導体８４が中に取り付けられている絶縁体８５が第１のハウジング１３４内に取り付けられている。絶縁体８５は中心導体８４を支持しかつシェル８６から中心導体８４を絶縁する。図示されているように、絶縁体８５は２つの互いに同一の半分部分から作られている。あるいは、絶縁体１８５はシングルピースの絶縁体であってもよい。第２の外側ハウジング２３２が、後部コネクタ３０の導電性外側シェル１８６を含む。中心導体１８４が中に取り付けられている絶縁体１８５が第２のハウジング１３２内に取り付けられている。絶縁体１８５は中心導体１８４を支持しかつシェル１８６から中心導体１８４を絶縁する。図示されているように、絶縁体１８５は２つの互いに同一の半分部分を含む。あるいは、絶縁体８５はシングルピースの絶縁体であってもよい。導電性シャフト１３０が中心導体８４と中心導体１８４とを接続する。
【００３８】
図３６と図３９に示されているように、両方のジャックアセンブリ４８、５０では、接地ハウジング７４が、選択的終端装置１４７を画定するために、可とう性の導電性接触部材１３６と、抵抗１４０と、パッド１４１と、ブロック１４２とに合体する。終端装置１４７は第１のハウジング１３４に取り付けられており、および、部材１３６の第１の末端１３５が穴１３８の中を通って延びて中心導体８４に接触する。部材１３６の第２の末端１３７がブロック１４２に取り付けられており、および、抵抗１４０の一方の末端に電気的に接触している。抵抗１４０の他方の末端は第１の外側ハウジング１３４と導電性外側シェル８６とに電気的に接触している。嵌合プラグが前部コネクタ３２内に挿入されると、部材１３６の第１の末端１３５が移動させられ、中心導体８４と接触しなくなり、中心導体８４と外側シェル８６との間の終端を断絶させる。終端装置１４７は、ハウジング１３２の凹み１４６に係合する接地ハウジング７４の凹み１４４によって第１の外側ハウジング１３２に取り付けられる。
【００３９】
図４１から図４３はジャックアセンブリ１４８をさらに詳細に示す。ジャックアセンブリ１４８は選択的終端装置を含まない。したがって、第１の外側ハウジング２３４は、中心導体８４に対するアクセスを実現する穴が存在しないという点で、第１の外側ハウジング１３４とは異なる。ジャックアセンブリ１４８の他の諸様相が、図３５から図３７に示されているジャックアセンブリ４８の諸様相に類似している。
【００４０】
図４４から図４６はジャックアセンブリ１５０をさらに詳細に示す。ジャックアセンブリ１５０は選択的終端装置を含まない。したがって、第１の外側ハウジング２３４は、中心導体８４に対するアクセスを実現する穴が存在しないという点で、第１の外側ハウジング１３４とは異なる。ジャックアセンブリ１５０の他の諸様相は、図３８から図４０に示されているジャックアセンブリ５０の諸様相に類似している。
【００４１】
図４７は、単体のハウジング３４６内の１対の穴７０の中に挿入されているジャック４８とジャック５０とを有する代替案のジャック対３２８である。ハウジング３４６は、ハウジング４６に類似しており、かつ、第１の表面５６と隆起部５８と溝６０とを除くハウジング４６に関して上述した諸要素を含む。ハウジング３４６は、両方の穴７０を含むシングルピースのハウジングである。ハウジング３４６は、上述したハウジング４６と同様の仕方でジャック４８、５０、１４８、１５０に支持と強度とを与える。ハウジング３４６は、さらに、ジャック４８、５０またはジャック１４８、１５９が曲げられて互いに接触し短絡を生じさせることを防止するために、非導電性の材料で作られている。
【００４２】
本明細書に開示されている本発明の実施形態を、本発明の新規性のある諸側面を読者に理解させる目的で説明してきた。好ましい実施形態を示し説明してきたが、本発明の着想と範囲とから不必要に逸脱することなしに、当業者によって様々な変更と変型と置き換えとが行われてよい。本発明の好ましい諸側面と実施形態とを説明してきたが、開示されている着想の変型と等価物とが当業者にとって容易に見出されるだろう。しかし、こうした変型と等価物とが本明細書に添付されている特許請求項の範囲内に含まれることが意図されている。
【図面の簡単な説明】
【００４３】
【図１】図１は、分解組立図の形で示されている幾つかのジャックを有する本出願による放送通信用パッチパネルの前方斜視図である。
【図２】図２は、モニターポートを含む、本発明による放送通信用パッチパネルの上方後方斜視図である。
【図２Ａ】図２Ａは、図２のパッチパネルに取り付けられている１組のジャックの拡大後方斜視図である。
【図３】図３は、図２のパッチパネルの下方後方斜視図である。
【図３Ａ】図３Ａは、図４に示されている１組のジャックの拡大後方斜視図である。
【図４】図４は、単一列の穴を有する、本発明による放送通信用パッチパネルの第３の実施形態の斜視図である。
【図５】図５は、図４のパネルの分解組立斜視図である。
【図６】図６は、本発明による３つのジャックから成るブロックの前方斜視図である。
【図７】図７は、図６のジャック対のブロックの前方斜視分解組立図である。
【図８】図８は、図６のジャック対のブロックの後方斜視分解組立図である。
【図９】図９は、本発明によるジャック対の前方斜視図である。
【図１０】図１０は、図９のジャック対の前方斜視分解組立図である。
【図１１】図１１は、図９のジャック対の側面図である。
【図１２】図１２は、図９のジャック対の端面図である。
【図１３】図１３は、図９のジャック対の底面図である。
【図１４】図１４は、ジャック対のジャックのハウジングの嵌合する隆起部と溝とをより詳細に示す、図１０に番号１４で示されている部分の拡大図である。
【図１５】図１５は、図９のジャック対の一方のジャックの前方斜視図である。
【図１６】図１６は、図１５のジャックの後方斜視図である。
【図１７】図１７は、ジャックアセンブリがハウジングから部分的に取り外されている、図１５のジャックの後方斜視図である。
【図１８】図１８は、ジャックアセンブリがハウジングから部分的に取り外されている、図１６のジャックの後方斜視図である。
【図１９】図１９は、本発明によるジャック対の第２の実施形態の前方斜視図である。
【図２０】図２０は、図１９のジャック対の前方部分分解組立斜視図である。
【図２１】図２１は、図１９のジャック対の前方分解組立斜視図である。
【図２２】図２２は、本発明によるジャック対の第３の実施形態の前方斜視図である。
【図２３】図２３は、図２２のジャック対の前方部分分解組立斜視図である。
【図２４】図２４は、図２２のジャック対の前方分解組立斜視図である。
【図２５】図２５は、図２２のジャック対の側面図である。
【図２６】図２６は、図２２のジャック対の端面図である。
【図２７】図２７は、図２２のジャック対の底面図である。
【図２８】図２８は、図１、図２、図３のパッチパネルに取り付けられている形で示されているスイッチングジャックである。
【図２９】図２９は、図９、図１９、図２２のジャック対の１つのハウジングの前方斜視図である。
【図３０】図３０は、図２９のハウジングの上面図である。
【図３１】図３１は、図２９のハウジングの端面図である。
【図３２】図３２は、図３１の線３２−３２に沿って取られた図２９のハウジングの側断面図である。
【図３３】図３３は、溝をさらに詳細に示す、図３１に番号３３で示されている部分の拡大図である。
【図３４】図３４は、隆起部をさらに詳細に示す、図３１に番号３４で示されている部分の拡大図である。
【図３５】図３５は、本発明によるジャックアセンブリの斜視図である。
【図３６】図３６は、図３５のジャックアセンブリの分解組立斜視図である。
【図３７】図３７は、図２９のハウジング内に配置されている図３５のジャックアセンブリの側面横断面図である。
【図３８】図３８は、本発明によるジャックアセンブリの第２の実施形態の斜視図である。
【図３９】図３９は、図３８のジャックアセンブリの分解組立斜視図である。
【図４０】図４０は、図２９のハウジング内に配置されている図３８のジャックアセンブリの側面横断面図である。
【図４１】図４１は、本発明によるジャックアセンブリの第３の実施形態の斜視図である。
【図４２】図４２は、図４１のジャックアセンブリの分解組立斜視図である。
【図４３】図４３は、図４１のジャックアセンブリの側面横断面図である。
【図４４】図４４は、本発明によるジャックアセンブリの第４の実施形態の斜視図である。
【図４５】図４５は、図４４のジャックアセンブリの分解組立斜視図である。
【図４６】図４６は、図４４のジャックアセンブリの側面横断面図である。
【図４７】図４７は、シングルピースのハウジングを有する本発明によるジャック対の別の実施形態の斜視図である。
【図１】
2007511050.tif 000003
【図２】
2007511050.tif 000004
【図２Ａ】
2007511050.tif 000005
【図３】
2007511050.tif 000006
【図３Ａ】
2007511050.tif 000007
【図４】
2007511050.tif 000008
【図５】
2007511050.tif 000009
【図６】
2007511050.tif 000010
【図７】
2007511050.tif 000011
【図８】
2007511050.tif 000012
【図９】
2007511050.tif 000013
【図１０】
2007511050.tif 000014
【図１１】
2007511050.tif 000015
【図１２】
2007511050.tif 000016
【図１３】
2007511050.tif 000017
【図１４】
2007511050.tif 000018
【図１５】
2007511050.tif 000019
【図１６】
2007511050.tif 000020
【図１７】
2007511050.tif 000021
【図１８】
2007511050.tif 000022
【図１９】
2007511050.tif 000023
【図２０】
2007511050.tif 000024
【図２１】
2007511050.tif 000025
【図２２】
2007511050.tif 000026
【図２３】
2007511050.tif 000027
【図２４】
2007511050.tif 000028
【図２５】
2007511050.tif 000029
【図２６】
2007511050.tif 000030
【図２７】
2007511050.tif 000031
【図２８】
2007511050.tif 000032
【図２９】
2007511050.tif 000033
【図３０】
2007511050.tif 000034
【図３１】
2007511050.tif 000035
【図３２】
2007511050.tif 000036
【図３３】
2007511050.tif 000037
【図３４】
2007511050.tif 000038
【図３５】
2007511050.tif 000039
【図３６】
2007511050.tif 000040
【図３７】
2007511050.tif 000041
【図３８】
2007511050.tif 000042
【図３９】
2007511050.tif 000043
【図４０】
2007511050.tif 000044
【図４１】
2007511050.tif 000045
【図４２】
2007511050.tif 000046
【図４３】
2007511050.tif 000047
【図４４】
2007511050.tif 000048
【図４５】
2007511050.tif 000049
【図４６】
2007511050.tif 000050
【図４７】
2007511050.tif 000051
【国際調査報告】
2007511050.tif 000052
2007511050.tif 000053
2007511050.tif 000054